(57)【要約】【課題】プラントに供給される主海水の塩素濃度を一定に保つ。【解決手段】海水Ｗが循環するリサイクルライン１０と、リサイクルライン１０の途中で海水Ｗを電気分解する海水電解装置７と、リサイクルライン１０から一部の電解液Ｅを主海水Ｍが流れる主海水ライン３へ供給する注入ライン１３と、注入ライン１３に設けられて、主海水Ｍの流量により電解液注入量を調整する流量調整弁１９と、を有する海水電解システム１を提供する。【選択図】図１
2015150483.tif 000002
【特許請求の範囲】
【請求項１】
海水が循環するリサイクルラインと、
前記リサイクルラインの途中で海水を電気分解する海水電解装置と、
前記リサイクルラインから一部の電解液を主海水が流れる主海水ラインへ供給する注入ラインと、
前記注入ラインに設けられて、前記主海水の流量により電解液注入量を調整する流量調整弁と、を有することを特徴とする海水電解システム。
【請求項２】
前記流量調整弁は、前記主海水の流量減少に伴って前記電解液注入量を減少させることを特徴とする請求項１に記載の海水電解システム。
【請求項３】
前記リサイクルラインへ海水を供給する海水供給ラインの海水の一部を前記注入ラインへ分岐する分岐ラインを有することを特徴とする請求項１又は請求項２に記載の海水電解システム。
【請求項４】
前記分岐ラインを流れる海水の流量を調整する海水分岐流量調整弁を有し、
前記海水分岐流量調整弁は前記主海水の流量減少に伴って海水分岐流量を増加させることを特徴とする請求項３に記載の海水電解システム。
【請求項５】
前記海水分岐流量調整弁は、前記注入ラインを流れる流体の流速が所定値以上になるように海水分岐流量を増加させることを特徴とする請求項４に記載の海水電解システム。
【請求項６】
前記主海水の流量は前記主海水ラインに海水を供給する主海水ポンプの台数によって検知されることを特徴とする請求項１から請求項５のいずれか一項に記載の海水電解システム。
【請求項７】
前記主海水の流量は前記主海水ラインに海水を供給する主海水ポンプの駆動電力により検知することを特徴とする請求項１から請求項５のいずれか一項に記載の海水電解システム。
【請求項８】
前記主海水ラインからの排水の残留塩素含有量を監視し、前記残留塩素含有量が所定値以上となった場合に電解液注入量を減少させることを特徴とする請求項１から請求項７のいずれか一項に記載の海水電解システム。
【請求項９】
環状のリサイクルラインに海水を供給する海水供給工程と、
前記リサイクルラインの途中で前記海水を電気分解して電解液を前記リサイクルラインにて循環させる電解液循環工程と、
注入ラインを介して前記リサイクルラインから一部の電解液を主海水が流れる主海水ラインへ供給する電解液注入工程と、
前記主海水の流量により電解液注入量を調整する注入量調整工程と、を有することを特徴とする電解液注入方法。
【請求項１０】
前記注入量調整工程において、前記主海水の流量減少に伴って前記電解液注入量を減少させることを特徴とする請求項９に記載の電解液注入方法。
【請求項１１】
前記海水供給工程において供給される海水の一部を前記注入ラインへ供給する海水分岐工程を有することを特徴とする請求項９又は請求項１０に記載の電解液注入方法。
【請求項１２】
前記海水分岐工程において、前記主海水の流量減少に伴って海水分岐流量を増加させることを特徴とする請求項１１に記載の電解液注入方法。
【請求項１３】
前記海水分岐工程において、前記注入ラインを流れる流体の流速が所定値以上になるように前記海水分岐流量を増加させることを特徴とする請求項１２に記載の電解液注入方法。
【請求項１４】
前記主海水の流量は前記主海水ラインに海水を供給する主海水ポンプの台数によって検知することを特徴とする請求項９から請求項１３のいずれか一項に記載の電解液注入方法。
【請求項１５】
前記主海水の流量は前記主海水ラインに海水を供給する主海水ポンプの駆動電力により検知することを特徴とする請求項９から請求項１３のいずれか一項に記載の電解液注入方法。
【請求項１６】
前記注入量調整工程において、前記主海水ラインからの排水の残留塩素含有量を監視し、前記残留塩素含有量が所定値以上となった場合に前記電解液注入量を減少させることを特徴とする請求項９から請求項１５のいずれか一項に記載の電解液注入方法。
【発明の詳細な説明】
【技術分野】
【０００１】
本発明は、海水に電気分解を施すことで次亜塩素酸ナトリウムを発生させる海水電解装置を備えた海水電解システム、及び電解液注入方法に関するものである。
【背景技術】
【０００２】
従来、海水を多量に使用する火力発電所、原子力発電所、海水淡水化プラント、化学プラント等においては、その取水口や配管、復水器、各種冷却器などの海水と接する部分の藻類や貝類の付着繁殖が課題となっている。
この課題を解決するために、天然の海水に電気分解を施すことで次亜塩素酸ナトリウム（塩素、次亜塩素酸ソーダ）を生成し、次亜塩素酸ナトリウムを含む電解液を取水口中に注入することにより海洋生物の付着を抑制する海水電解システムが提案されている（例えば特許文献１参照）。
【０００３】
図３に示すように、従来の海水電解システム１０１は、海水を受け入れ溜めるとともに反応させる受液槽６と、海水Ｗを電気分解して次亜塩素酸ナトリウムを発生させる海水電解装置７と、海水電解装置７にて生成された電解処理水Ｅ（電解液）を循環させるリサイクルライン１０（循環ライン）を有するリサイクル方式である。
【０００４】
海水電解装置７は、筐体状をなす電解槽８内に電極としての陽極・陰極が配置された
構成であり、電解槽８内に海水Ｗが流通されるようになっている。海水Ｗ中には塩化物イオン及び水酸化イオンが存在するため、陽極・陰極間に電流を通電させると、陽極では塩素が生成され、陰極では水酸化ナトリウムが生成される。そして、塩素と水酸化ナトリウムが反応することによって、海洋生物の付着抑制効果を有する次亜塩素酸ナトリウムが生成される。
【０００５】
プラントＰにて使用される海水である主海水Ｍ（取水海水）は、複数の主海水ポンプ２によって主海水ライン３に導入される。海水電解システム１０１には、海水供給ポンプ４によって海水Ｗが供給される。
そして、海水電解装置７によって生成された次亜塩素酸ナトリウムを含む電解処理水Ｅは、注入ライン１３を介して主海水ライン３に導入される。これにより、プラントＰにおいては、その取水口や配管、復水器、各種冷却器などの海水と接する部分の藻類や貝類の付着繁殖が抑制される。
【先行技術文献】
【特許文献】
【０００６】
【特許文献１】特開平１０−８５７５０号公報
【発明の概要】
【発明が解決しようとする課題】
【０００７】
ところで、従来の海水電解システム１０１においては、主海水ポンプ２の稼働台数減少によって取水される主海水Ｍの流量が変化する場合、その変化量に対して海水電解装置７の直流電源装置９の出力電流値を変化させて注入液の次亜塩素酸ナトリウムの濃度を調整していた。
即ち、図４のラインａに示すように、主海水ポンプの台数が減少した時点Ｄで直流電源装置９の出力電流値を調整していた。これにより、ラインｂに示すように、リサイクルライン１０内の電解処理水Ｅの塩素濃度が徐々に減少する。一方、注入ライン１３を介して主海水ライン３に注入される電解処理水Ｅの流量は、ラインｃに示すように一定である。
【０００８】
これにより、ラインｆに示すように、リサイクルライン１０を有するリサイクル方式の海水電解システム１０１では、注入液である電解処理水Ｅの塩素濃度が出力電流値に見合った設定値となるまでに、長時間を有する。即ち、例えば、主海水ポンプ２の稼働台数が減少して主海水Ｍの流量が急に減少した場合、注入液の塩素濃度が瞬時的に対応しきれないため、一時的に注入点での海水中の塩素濃度が設定値より超過するという課題があった。
【０００９】
本発明は、リサイクル方式の海水電解システムにおいて、主海水ラインに導入される塩素を含む電解液の流量を調整することにより、主海水の塩素濃度を一定に保つことを目的とする。
【課題を解決するための手段】
【００１０】
本発明の第一の態様によれば、海水電解システムは、海水が循環するリサイクルラインと、前記リサイクルラインの途中で海水を電気分解する海水電解装置と、前記リサイクルラインから一部の電解液を主海水が流れる主海水ラインへ供給する注入ラインと、前記注入ラインに設けられて、前記主海水の流量により電解液注入量を調整する流量調整弁と、を有することを特徴とする。
【００１１】
このような構成によれば、注入ラインに流量調整弁を設けたことによって、塩素を含む電解液の流量を調整することができる。これにより、主海水の塩素濃度を一定に保つことができる。
【００１２】
上記海水電解システムにおいて、前記流量調整弁は、前記主海水の流量減少に伴って前記電解液注入量を減少させる構成としてもよい。
【００１３】
このような構成によれば、主海水の流量が減少した場合に、塩素が主海水ラインに過剰に注入されることを防止することができる。
【００１４】
上記海水電解システムにおいて、前記リサイクルラインへ海水を供給する海水供給ラインの海水の一部を前記注入ラインへ分岐する分岐ラインを有する構成としてもよい。
このような構成によれば、分岐ラインを介して注入ラインに海水を導入することによって、注入ラインの流量低下によるスケール堆積を防止することができる。
【００１５】
上記海水電解システムにおいて、前記分岐ラインを流れる海水の流量を調整する海水分岐流量調整弁を有し、前記海水分岐流量調整弁は前記主海水の流量減少に伴って海水分岐流量を増加させる構成としてもよい。
このような構成によれば、主海水の流量減少に伴い電解液注入量が減少した場合においても注入ラインの流量低下によるスケール堆積を防止することができる。
【００１６】
上記海水電解システムにおいて、前記海水分岐流量調整弁は、前記注入ラインを流れる流体の流速が所定値以上になるように海水分岐流量を増加させる構成としてもよい。
このような構成によれば、注入ラインを流れる流体の流速が確保されるため、注入ラインの流量低下によるスケール堆積を防止することができる。
【００１７】
上記海水電解システムにおいて、前記主海水の流量は前記主海水ラインに海水を供給する主海水ポンプの台数によって検知される構成としてもよい。
このような構成によれば、より容易に主海水の流量を検知することができる。
【００１８】
上記海水電解システムにおいて、前記主海水の流量は前記主海水ラインに海水を供給する主海水ポンプの駆動電力により検知する構成としてもよい。
このような構成によれば、より正確に主海水の流量を検知することができる。
【００１９】
上記海水電解システムにおいて、前記主海水ラインからの排水の残留塩素含有量を監視し、前記残留塩素含有量が所定値以上となった場合に電解液注入量を減少させる構成としてもよい。
このような構成によれば、排水に含まれる残留塩素を低減することができる。
【００２０】
本発明の第二の態様によれば、電解液注入方法は、環状のリサイクルラインに海水を供給する海水供給工程と、前記リサイクルラインの途中で前記海水を電気分解して電解液を前記リサイクルラインにて循環させる電解液循環工程と、注入ラインを介して前記リサイクルラインから一部の電解液を主海水が流れる主海水ラインへ供給する電解液注入工程と、前記主海水の流量により電解液注入量を調整する注入量調整工程と、を有することを特徴とする。
【００２１】
上記電解液注入方法において、前記注入量調整工程においては、前記主海水の流量減少に伴って前記電解液注入量を減少させる構成としてもよい。
【００２２】
上記電解液注入方法において、前記海水供給工程において供給される海水の一部を前記注入ラインへ供給する海水分岐工程を有する構成としてもよい。
【００２３】
上記電解液注入方法において、前記海水分岐工程においては、前記主海水の流量減少に伴って海水分岐流量を増加させる構成としてもよい。
【００２４】
上記電解液注入方法において、前記海水分岐工程においては、前記注入ラインを流れる流体の流速が所定値以上になるように前記海水分岐流量を増加させる構成としてもよい。
【００２５】
上記電解液注入方法において、前記主海水の流量は前記主海水ラインに海水を供給する主海水ポンプの台数によって検知する構成としてもよい。
【００２６】
上記電解液注入方法において、前記主海水の流量は前記主海水ラインに海水を供給する主海水ポンプの駆動電力により検知する構成としてもよい。
【００２７】
上記電解液注入方法において、前記注入量調整工程においては、前記主海水ラインからの排水の残留塩素含有量を監視し、前記残留塩素含有量が所定値以上となった場合に前記電解液注入量を減少させる構成としてもよい。
【発明の効果】
【００２８】
本発明によれば、注入ラインを流れる流体の流量を調整することによって、塩素を含む電解液の流量を調整することができる。これにより、主海水の塩素濃度を一定に保つことができる。
【図面の簡単な説明】
【００２９】
【図１】本発明の実施形態の海水電解システムの概要を示す模式図である。
【図２】本発明の実施形態の海水電解システムにおける、主海水ポンプの稼働台数が減少した場合の制御を説明するためのグラフである。
【図３】従来の海水電解システムの概要を示す模式図である。
【図４】従来の海水電解システムにおける、主海水ポンプの稼働台数が減少した場合の制御を説明するためのグラフである。
【発明を実施するための形態】
【００３０】
以下、本発明の実施形態について図面を参照して詳細に説明する。
図１は本発明の実施形態に係る海水電解システム１の概要を示す模式図である。海水電解システム１は、主海水Ｍが流通する取水用水路である主海水ライン３から海水Ｗを取水し、海水電解装置７にて海水Ｗを電気分解した後、電解処理水Ｅ（電解液）を主海水ライン３に注入するシステムである。主海水ライン３の主海水Ｍは、火力及び原子力発電所、海水淡水化プラント、化学プラント、製鉄プラントなどのプラントＰに導入されて使用される。
【００３１】
この海水電解システム１は、電気分解に必要な海水Ｗを導入する海水供給ポンプ４と、受液槽６と、海水電解装置７と、電解処理水Ｅ（海水Ｗ）を循環させる環状のリサイクルライン１０（循環流路）と、リサイクルライン１０を循環する電解処理水Ｅを主海水ライン３に注入する注入ライン１３と、を有している。
主海水ライン３には、複数の主海水ポンプ２（取水ポンプ）によって、主海水Ｍが導入される。主海水ライン３に導入される主海水Ｍの流量は、主海水ポンプ２の稼働台数に応じて変動する。
リサイクルライン１０は、第一リサイクルライン１１と第二リサイクルライン１２とから構成されている。
【００３２】
海水供給ポンプ４は、主海水ライン３から海水Ｗを汲み上げる構成としてもよいし、海洋から直接海水Ｗを汲み上げる構成としてもよい。
受液槽６は、システムを循環する電解処理水Ｅと、海水供給ポンプ４から供給される海水Ｗとを貯留する槽である。
【００３３】
海水電解装置７は、リサイクルライン１０の途中で海水Ｗを電気分解する装置であり、電解槽８と、直流電源装置９と、を有している。海水電解装置７は、海水Ｗを電気分解することによって、次亜塩素酸ナトリウム（塩素、次亜塩素酸ソーダ）を生成する装置である。電解槽８は、複数の電極（図示せず）と、電解槽８の内部に電解処理水Ｅを導入する流入口１５と、電解槽８の内部から電解処理水Ｅを排出する流出口１６と、を有している。
【００３４】
直流電源装置９は、海水Ｗの電気分解に供される電流を供給する装置であって、例えば、直流電源と定電流制御回路とを備える構成を採用することができる。直流電源は、直流電力を出力する電源であって、例えば交流電源から出力される交流電力を直流に整流して出力する構成であってもよい。
【００３５】
海水供給ポンプ４と受液槽６とは、海水供給ライン５によって接続されている。海水供給ライン５には、電気分解の妨げとなる異物の混入を防ぐためのストレーナーを設けてもよい。
受液槽６と、電解槽８の流入口１５とは、第一リサイクルライン１１で接続されている。即ち、受液槽６内の電解処理水Ｅは、第一リサイクルライン１１を介して電解槽８に導入される。第一リサイクルライン１１上には、注入ポンプ１７が設けられている。注入ポンプ１７は、循環する電解処理水Ｅを電解槽８に供給するとともに、電解処理水Ｅを注入ライン１３に移送するポンプである。
【００３６】
第二リサイクルライン１２は、電解槽８の流出口１６と受液槽６とを接続するラインである。即ち、海水電解装置７にて生成された電解処理水Ｅは、第二リサイクルライン１２を介して受液槽６に導入される。
注入ライン１３の下流側端部には、注入ノズル（図示せず）が設けられている。注入ノズルを設けることによって、海水電解装置７で生成された次亜塩素酸ナトリウムを主海水ライン３へ効率よく拡散させることができる。
【００３７】
注入ライン１３上には、流量センサ１８と、流量調整弁１９が設けられている。流量センサ１８は、注入ライン１３を流れる電解処理水Ｅの流量を検出するセンサである。流量調整弁１９は、注入ライン１３における流量センサ１８の下流側に設けられた弁である。注入ライン１３を流れる電解処理水Ｅの流量は、流量調整弁１９と流量センサ１８とを用いて制御することができる。
【００３８】
海水供給ライン５と、注入ライン１３との間には、海水供給ポンプ４によって供給される海水Ｗを直接注入ライン１３に導入するための分岐ライン２１（バックアップライン）が設けられている。即ち、本実施形態の海水電解システム１は、海水供給ライン５を流れる海水Ｗを受液槽６に送ることなく、直接注入ライン１３に分岐することができる。
分岐ライン２１上には、分岐ライン２１を流れる海水Ｗの流量を調整するための海水分岐流量調整弁２２が設けられている。
【００３９】
また、主海水ライン３には、主海水ライン３を流れる主海水Ｍの流量を検出する主海水流量センサ２４が設けられている。さらに、プラントＰから排出された使用済みの主海水Ｍが流入する主海水ライン３の下流には、残留塩素の濃度を計測する残留塩素測定装置２５が設けられている。
【００４０】
また、海水電解システム１は、主海水ライン３を流れる主海水Ｍの流量に基づいて主海水ライン３に導入される電解処理水Ｅ及び海水Ｗに含まれる次亜塩素酸ナトリウム（塩素）の注入率を一定にする制御を行う制御装置（図示せず）を備えている。
【００４１】
制御装置は、主海水Ｍの流量に基づいて直流電源装置９の出力電流値を調整する機能を有している。制御装置は、主海水Ｍ中の塩素濃度を目標値に保つべく、例えば、主海水Ｍの流量が減少した場合に海水電解装置７にて生成される次亜塩素酸ナトリウムを減少させ、主海水Ｍの流量が増加した場合に海水電解装置７にて生成される次亜塩素酸ナトリウムを増加させる制御を行う。
【００４２】
また、制御装置は、主海水ライン３を流れる主海水Ｍの流量に基づいて注入ライン１３を流れる電解処理水Ｅの流量（電解液注入量）を制御する機能を有している。制御装置は、主海水Ｍ中の塩素濃度を目標値に保つべく、流量調整弁１９により電解処理水Ｅの流量を調整する。
【００４３】
制御装置は、主海水ポンプ２の稼働台数に基づいて主海水Ｍの流量を検知して直流電源装置９の出力電流値を調整するとともに、注入ライン１３を流れる電解処理水Ｅの流量を調整する。換言すれば、制御装置は、主海水ポンプ２の稼働台数が変動した場合に出力電流値及び電解処理水Ｅの流量を調整する。
さらに、制御装置は、主海水Ｍの流量減少に伴って、海水分岐流量調整弁２２を操作することによって分岐ライン２１を流れる海水Ｗの流量を増加させる機能を有している。
【００４４】
次に、本実施形態の海水電解システム１を用いた電解液注入方法について説明する。
主海水ライン３には、主海水ポンプ２によって主海水Ｍが導入される。主海水Ｍは、プラントＰに導入されて例えば炉の冷却などに使用される。
海水供給工程においては、主海水ライン３を流通する海水Ｗのうちの一部が、海水供給ライン５を介して受液槽６に導入される。
電解液循環工程において、海水Ｗは、第一リサイクルライン１１、電解槽８、及び第二リサイクルライン１２に導入され、循環される。この工程において、海水Ｗは第一リサイクルライン１１を介して電解槽８に導入される。これにより、電解槽８内の電極が海水Ｗに浸漬される。
【００４５】
電極間の海水Ｗ内を電流が流通することで海水Ｗに対して電気分解が施される。
即ち、陽極においては、下記（１）式に示すように、海水Ｗ中の塩化物イオンから電子ｅが奪われ酸化が起こり、塩素が生成される。
２Ｃｌ−  →  Ｃｌ２  ＋  ２ｅ−      …（１）
一方、陰極においては、下記（２）式に示すように、海水Ｗ中の水に電子が与えられて還元が起こり、水酸化イオンと水素ガスが生成される。
２Ｈ２Ｏ  ＋  ２ｅ−  →  ２ＯＨ−  ＋  Ｈ２      …（２）
【００４６】
また、下記（３）式に示すように、陰極で生成された水酸化イオンは海水Ｗ中のナトリウムイオンと反応して水酸化ナトリウムが生成される。
２Ｎａ＋  ＋  ２ＯＨ−  →  ２ＮａＯＨ      …（３）
【００４７】
さらに、（４）式に示すように、水酸化ナトリウムと塩素とが反応することにより、次亜塩素酸、塩化ナトリウム及び水が生成される。
Ｃｌ２  ＋  ２ＮａＯＨ  →  ＮａＣｌＯ  ＋  ＮａＣｌ  ＋  Ｈ２Ｏ      …（４）
このように、海水Ｗの電気分解に基づいて、海洋生成物の付着に対して抑制効果を有する次亜塩素酸ナトリウムが生成される。
次亜塩素酸ナトリウムの濃度は、海水Ｗの塩化物イオン濃度が３０，０００〜４０，０００ｍｇ／ｌまで高められていることから、２，５００〜５，０００ｐｐｍとされることが好ましい。
【００４８】
そして、電気分解が施された海水Ｗは、水素ガスとともに電解処理水Ｅとして電解槽８の流出口１６から流出し、第二リサイクルライン１２を介して受液槽６に貯留される。
電解液注入工程において、受液槽６に貯留された電解処理水Ｅは注入ポンプ１７によって注入ライン１３に導入され、次いで、主海水ライン３に注入される。即ち、次亜塩素酸ナトリウムを含んだ電解処理水Ｅが、注水ポンプが稼動することによって注水ラインを介して主海水ライン３に注入される。
【００４９】
また、海水分岐工程において、海水供給ライン５を流れる海水Ｗの一部は、分岐ライン２１を介して注入ライン１３に導入される。即ち、海水供給ライン５の海水Ｗの一部は、受液槽６に供給されることなく、注入ライン１３を流れる電解処理水Ｅの流量を補うバックアップ海水として使用される。
【００５０】
制御装置は、主海水Ｍの流量に応じて直流電源装置９の出力電流値を調整する。
具体的には、図２のラインａに示すように、主海水ポンプ２の台数が減少した時点Ｄで、海水電解装置７にて生成される次亜塩素酸ナトリウムを減少させるように電流値を制御する。これにより、図２のラインｂに示すように、受液槽６内（リサイクルライン１０内）の電解処理水Ｅの塩素濃度が徐々に減少する。即ち、塩素濃度は急激に減少することはない。
【００５１】
注入量調整工程において、制御装置は主海水Ｍの流量に応じて注入ライン１３を流れる電解処理水Ｅの流量を調整する。
具体的には、図２のラインｃに示すように、主海水ポンプ２の台数が減少した時点Ｄで、注入ライン１３を介して主海水ライン３に導入される電解処理水Ｅの流量が少なくなるように、流量調整弁１９を制御する。即ち、リサイクルライン１０を循環する電解処理水Ｅの塩素濃度が、主海水Ｍの流量の急激な減少に対応できないため、制御装置は、注入ライン１３を流れる電解処理水Ｅの流量を絞る。
【００５２】
また、制御装置は、図２のラインｄに示すように、主海水Ｍの流量の減少によって減少させた電解処理水Ｅの流量を補うように、分岐ライン２１を流れる海水Ｗの流量を増加させる。具体的には、注入ライン１３を流れる流体（海水Ｗ及び電解処理水Ｅ）の流速が、少なくとも０．７ｍ／ｓ以上となるように分岐ライン２１を流れる海水Ｗの流量を制御する。これにより、図２のラインｅに示すように、注入流量は、略一定となる。
ただし、注入ライン１３を流れる海水Ｗの流量は、略一定にする必要はなく、流体の流速が０．７ｍ／ｓ以上であればよい。
【００５３】
そして、制御装置によって、直流電源装置９の電流値及び注入ライン１３を介して注入される電解処理水Ｅの流量などが調整されることによって、図２のラインｆに示すように、塩素の注入率は、略一定となる。
ただし、塩素の注入率は略一定とする必要はなく、主海水ライン３に注入される塩素が過剰とならなければよい。制御装置は、残留塩素測定装置２５によって検出される残留塩素含有量を監視し、残留塩素含有量が所定値以上となった場合に電解液注入量を減少させる。
【００５４】
上記実施形態によれば、注入ライン１３に流量調整弁１９を設けたことによって、次亜塩素酸ナトリウムを含む電解処理水Ｅの流量を調整することができる。これにより、主海水Ｍの塩素濃度を一定に保つことができる。
【００５５】
また、主海水Ｍの流量減少に伴って電解液注入量を減少させる制御を行うことによって、主海水Ｍの流量が減少した場合に、次亜塩素酸ナトリウムが主海水ライン３に過剰に注入されることを防止することができる。
【００５６】
また、分岐ライン２１を介して注入ライン１３に海水Ｗを導入することによって、注入ライン１３の流量低下によるスケール堆積を防止することができる。即ち、注入ライン１３を流れる流体の流量低下に伴い、水酸化マグネシウムや炭酸カルシウムなどのスケールが堆積して配管が詰まるなどの不具合を防止することができる。
【００５７】
また、海水分岐流量調整弁２２が主海水Ｍの流量減少に伴って海水分岐流量を増加させることによって、主海水Ｍの流量減少に伴い電解液注入量が減少した場合においても注入ライン１３の流量低下によるスケール堆積を防止することができる。
【００５８】
また、海水分岐流量調整弁２２が、注入ライン１３を流れる流体の流速が所定値以上になるように海水分岐流量を増加させることによって、注入ライン１３を流れる流体の流速が確保されるため、注入ライン１３の流量低下によるスケール堆積を防止することができる。
【００５９】
また、主海水Ｍの流量を主海水ポンプ２の台数によって検知することによって、より容易に主海水Ｍの流量を検知することができる。
また、主海水ライン３からの排水の残留塩素含有量を監視することによって、排水に含まれる残留塩素を低減することができる。
【００６０】
また、リサイクルライン１０を設けたことで、電気分解の際に発生したマンガン、マグネシウム、カルシウム等のスケール成分が電解処理水Ｅと共に電解槽８内に導入される。このようにスケール成分を含んだ電解処理水Ｅが再び電解槽８内に導入されることにより、スケール成分による種晶効果により、電極表面へのスケール付着を防止することができる。これにより、電極の耐久性の向上及び塩素発生効率の低下の抑制を図ることが可能となる。
【００６１】
なお、上記実施形態においては、分岐ライン２１に設けられた海水分岐流量調整弁２２は、分岐ライン２１を流れる海水Ｗの流量を調整可能であるとしたが、これに限ることはない。例えば、分岐ライン２１に定流量弁を設けて分岐ライン２１を介して注入ライン１３に定流量の海水Ｗを導入する構成としてもよい。
【００６２】
また、主海水Ｍの流量は、主海水ポンプ２の稼働台数ではなく、主海水ポンプ２の駆動電力により検知する構成としてもよい。これにより、より正確に主海水Ｍの流量を検知することができる。
また、主海水Ｍの流量は、主海水流量センサ２４によって検出してもよい。
【００６３】
以上、本発明の実施形態について図面を参照して詳述したが、本発明の趣旨から逸脱しない範囲内で、構成の付加、省略、置換、及びその他の変更が可能である。また、本発明は実施形態によって限定されることはなく、クレームの範囲によってのみ限定される。
【符号の説明】
【００６４】
１  海水電解システム
２  主海水ポンプ
３  主海水ライン
４  海水供給ポンプ
５  海水供給ライン
６  受液槽
７  海水電解装置
８  電解槽
９  直流電源装置
１０  リサイクルライン
１１  第一リサイクルライン
１２  第二リサイクルライン
１３  注入ライン
１５  流入口
１６  流出口
１７  注入ポンプ
１８  流量センサ
１９  流量調整弁
２１  分岐ライン
２２  海水分岐流量調整弁
２４  主海水流量センサ
２５  残留塩素測定装置
Ｅ  電解処理水（電解液）
Ｍ  主海水
Ｐ  プラント
Ｗ  海水
【図１】
2015150483.tif 000003
【図２】
2015150483.tif 000004
【図３】
2015150483.tif 000005
【図４】
2015150483.tif 000006